(57)【要約】      （修正有）【課題】携帯電話に、カラフルで光輝色豊かな飾りパターンを手軽に施すことができる飾り具を提供する。【解決手段】裏面に仮接着用の粘着剤１ａを塗布した透明フィルム１と、透明フィルム１に接着されるフラット状の粒状構成子で形成した光輝片２、及び光輝片２の下面に配置され且つ透明フィルム１と接着する色シート３からなる。色シート３剥離後裏面に接着剤１１を塗布すると携帯電話２０に光輝片２を直接貼着できる。【選択図】図２
0003109303.tif 000002
【実用新案登録請求の範囲】
【請求項１】
裏面に仮接着用の粘着剤を塗布した透明フィルムと、該透明フィルムに接着されるフラット状の粒状構成子で形成した光輝片、及び光輝片の下面に配置され且つ透明フィルムと接着する色シートからなる携帯電話用飾り具であって、前記光輝片が花柄等の飾りパターンを形成し、色シート剥離後光輝片裏面に接着剤を塗布すると携帯電話に直接貼着できることを特徴とする携帯電話用飾り具。
【考案の詳細な説明】
【技術分野】
【０００１】  本考案は、携帯電話を光輝片で装飾する携帯電話用飾り具に関する。
【背景技術】
【０００２】  携帯電話の普及につれて実用面だけでなくファッション面でも様々な工夫を凝らしたものが出現し、また携帯電話専用の飾り具も種々存在する。この飾り具には、携帯電話の本体とは別個に製作されたものを本体に取り付けるもの（例えば特許文献１参照）や、いわゆる携帯ストラップに細工を施したもの（例えば特許文献１、２）などがある。
【特許文献１】特許公開２００１−５３８５１号公報
【特許文献２】登録実用新案第３０８８６２３号公報
【特許文献３】登録実用新案第３０５５２５８号公報
【考案の開示】
【考案が解決しようとする課題】
【０００３】  特許文献１に記載の技術は、携帯電話の少なくとも上部を覆うように取り付けられるアクセサリ本体と、携帯電話の表示窓を透視可能とするように、アクセサリ本体に形成された開口部と、この開口部を開放可能に遮蔽する飾り蓋とを具備したものであって、この製品は携帯電話の上部に単に被せるだけのものであるから取り扱いは簡便であるが、成型品であるため製作費用がかゝるのと、あらかじめ一定の形に構成されているのでユーザーにおいて好みの装飾を選択する範囲が限られるという問題、及び電話機本体が直接装飾されるものではないという不具合がある。また携帯電話に取り付けることによって通話時等に手指や顔の一部が触れて却って煩わしさの生じる懸念もある。【０００４】  特許文献２及び３に記載の技術は、いずれもハンドストラップにビーズ玉を複数個挿通してビーズの持つ光輝性によって装飾効果を発揮できるようにしたものであり、ストラップ自体がアクセサリとしての働きはするものゝ電話機本体とは別個のものであるため電話機自体の装飾とはなり得ないという問題点がある。【０００５】  本考案はこのような従来技術とは異なって、電話機本体を飾りパターンの光輝片で装飾することができる飾り具を提供することを目的としたもので、電話機の表面や側面など随所に取り付けができ、通話の支障にならず好みの色合、好みの形のものを任意に選択できて携帯電話にカラフルで光輝色豊かなアクセサリを付与することを意図した提案である。
【課題を解決するための手段】
【０００６】  すなわち本考案は、裏面に仮接着用の粘着剤１ａを塗布した透明フィルム１と、該透明フィルム１に接着されるフラット状の粒状構成子で形成した光輝片２、及び光輝片２の下面に配置され且つ透明フィルム１と接着する色シート３からなる携帯電話用飾り具であって、前記光輝片２が花柄等の飾りパターンを形成し、色シート３剥離後光輝片２裏面に接着剤１１を塗布すると携帯電話２０に直接貼着できることを特徴としている。
【考案の効果】
【０００７】  本考案は透明フィルムと光輝片及び色シートからなるものであり、光輝片は透明フィルムを透して形状、色合が直に目視されるのでユーザーがいつでも好みの光輝片を選択できて携帯電話に所望するファッション性を付与できるとともに、透明フィルムと光輝片及び色シートは透明フィルム裏面の粘着剤により一体的に重ね合わさっているため光輝片の収納に腐心したり紛失する恐れがなく携帯に便利であり、また構造簡単で製品を安価に提供できる実益もある。【０００８】  透明フィルムに接着している色シートを剥がすと光輝片裏面が現われるので、この部分に接着剤を塗布することにより、その接着力で光輝片を携帯電話の任意個所に貼着でき、貼着後に透明フィルムを剥がせば取り付け作業は終了するので取り扱いが頗る簡単で誰にも手軽に使用できる。【０００９】  ビーズ利用のストラップ型飾り具と異なり電話機本体を直接フラット状の光輝片が装飾するので、携帯電話所持者の審美感を満足させることができ、しかも電話機の表面の一部に貼着するのでどのような形の携帯電話にも取り付けでき、電話機本体から突出することもないため通話時等の妨げとなるような懸念もない。
【考案を実施するための最良の形態】
【００１０】  図面を参照して本考案実施の形態を説明すると、図１は透明フィルム１、フラット状の粒状構成子で形成した光輝片２、白色の色シート３からなる本案飾り具の一例を示したもので、透明フィルム１の裏面には仮接着用の粘着剤１ａが塗布されている。透明フィルム１の素材にはセロハンが好適し、光輝片２の構成子はクリスタル、スパンコールなどの光輝度ある素材を用いてこれをカット形成し、各構成子は直径を２ミリ〜数ミリ、厚みを１ミリ程度とする。【００１１】  最下面の色シート３は光輝片２を載せる台紙の役目をするもので、透明フィルム１の上方から俯瞰すると光輝片２が色シート３上に目視される。光輝片２は星形、ハート形、リボン形、花柄など種々の飾りパターンを形成し、それら飾りパターンの複数個を一組として色シート３上に配列される。【００１２】  透明フィルム１と色シート３は同形・同大で、透明フィルム１の裏面に塗布されている粘着剤１ａによって両者は仮接着され、また色シート３上の光輝片２も粘着剤１ａによって透明フィルム１に上面が仮接着されている。光輝片２は各種色彩のものを用いることができ、したがって１枚の色シート３上に異なる色彩で異なる形状をした飾りパターンを複数個設けることによって画一的でない多様なアクセサリを楽しむことができる。【００１３】  図２は本案飾り具の使用過程の一例を示すもので、まず（ａ）のように好みの光輝片２を透明フィルム１、色シート３に重ね合わせたまゝカットし、次いで（ｂ）のように色シート３を剥がすと光輝片２の裏面が露出する。そこで透明フィルム１を付けたまゝ（ｃ）のように、容器１０から出した接着剤１１を楊枝１２などの先端が尖ったものを用いて光輝片２の平らな底面に塗布する（この時透明フィルム１に付着しないように光輝片２から接着剤１１がはみ出さないように注意する）。【００１４】  あらかじめ貼付する面のホコリや汚れを払拭しておき、（ｄ）のように携帯電話２０の所望個所に透明フィルム１ごと光輝片２を貼り付け、接着剤１１が完全に乾いたら透明フィルム１を光輝片２から剥がすと、携帯電話２０の表面に沿い光輝片２が密接して貼着されるので、他の光輝片２も同様にして貼り付けることにより、図３のように携帯電話２０の複数個所に、異なる飾りパターンを持つカラフルな色合の装飾が施される。【００１５】  本考案は光輝片２の大きさや個数によって透明フィルム１・色シート３の大きさも異なってくるが、通常は手のひらサイズに納まる程度を１ユニットとにしたものが販売するのに好適するため、例えば図４のような透明収納袋３０に入れ、また別に接着剤容器１０を同じように透明収納袋３０に入れて両者をワンセットとして販売することでユーザーは接着剤の選択に腐心する煩わしさがなく、このワンセットを購入することによって本案飾り具を携帯電話２０に手軽に施すことができる。【００１６】  しかして本考案は携帯電話表面を装飾する飾り具として述べたが、携帯電話以外の、例えば小物入れ、バッグなどの飾り具として用いることもできるのであって、そのような使用も本考案の自由な実施範囲に属すること勿論である。
【図面の簡単な説明】
【００１７】
【図１】本案飾り具を示し、（ａ）は平面図、（ｂ）は断面図である。
【図２】携帯電話に貼付するまでの過程を示し、（ａ）はカット状態、（ｂ）は色シート剥離、（ｃ）は接着剤塗布、（ｄ）は貼付時の各説明図である。
【図３】携帯電話表面の複数個所に本案飾り具を施した一例を示す斜視図である。
【図４】本案飾り具と接着剤を透明収納袋に入れてワンセットとした概略図である。
【符号の説明】
【００１８】  １    透明フィルム
１ａ  粘着剤
２    光輝片
３    色シート
１０  容器
１１  接着剤
１２  楊枝
２０  携帯電話
３０  透明収納袋
【図１】
0003109303.tif 000003
【図２】
0003109303.tif 000004
【図３】
0003109303.tif 000005
【図４】
0003109303.tif 000006